(57)【要約】【課題】  構成を簡単にすることにより、製作、組立、調整を容易にし、全体の製作費用を削減する。【解決手段】  避難扉１５の表裏面の一方に、上下方向に移動可能、かつ下方へ移動時に端部がスクリーン幕５側の第１錘体に係止されるロックピン２３と、ロックピン２３を下方へ付勢する付勢部材２４とを備えたロック手段２１と、避難扉１５の開放方向に押圧することにより、付勢部材２４の付勢力に抗してロックピン２３を上方に移動させて、ロックピン２３の第１錘体９への係止状態を解除するロック解除部材２６とを設ける。【選択図】  図２
2011019626.tif 000002
【特許請求の範囲】
【請求項１】
建物の内部空間を火災側と非火災側とに間仕切る、不燃性、耐火性、又は難燃性の素材からなる可撓性を有するスクリーン幕と、該スクリーン幕の下端部に設けられた第１錘体と、前記スクリーン幕の一部に、スリットとスリットの上端より斜め下方に向かう折り曲げ辺とを設けることによって形成された三角形状の開口及び該開口を開閉する三角形状の避難扉と、該避難扉の下端部に設けられた第２錘体と、該第２錘体を前記第１錘体に回動自在に連結するヒンジとを備えた防火防煙用スクリーンシャッターにおいて、
前記避難扉の表裏面の一方に、上下方向に移動可能、かつ下方へ移動時に端部が前記第１錘体に係止されるロックピンと、該ロックピンを下方へ付勢する付勢部材とを備えたロック手段と、
前記避難扉の開放方向に押圧することにより、前記付勢部材の付勢力に抗して前記ロックピンを上方に移動させて、前記ロックピンの前記第１錘体への係止状態を解除するロック解除部材とを設けたことを特徴とする防火防煙用スクリーンシャッター。
【請求項２】
前記ロック解除部材は、一端が前記避難扉に連結され、他端が前記ロックピンに連結される帯状をなしていることを特徴とする請求項１に記載の防火防煙用スクリーンシャッター。
【請求項３】
前記第１錘体は、前記スクリーン幕の下端部を前記スクリーン幕の表裏方向から挟持する一対の断面Ｌ形状の座板からなり、該一対の座板の前記避難扉の下端部に対応する部分には、前記避難扉の下端部を係合させる切欠部が設けられ、該切欠部の底部は、一方の座板が他方の座板よりも高い段差部に形成され、該段差部の上段の一方の側面に前記ロックピンが係止され、他方の側面に前記避難扉が係止されることを特徴とする請求項２に記載の防火防煙用スクリーンシャッター。
【請求項４】
前記ロックピンは、下端部が所定の角度の傾斜面に形成され、前記避難扉が前記スクリーン幕の開口を開放し、この状態から元の状態に復帰する際に、前記ロックピンの傾斜面が前記段差部の上段に当接することにより、前記ロックピンが前記付勢部材の付勢力に抗して上方に移動し、前記ロックピンが前記段差部の上段を乗り越えて該上段の一方の側面に係止されることを特徴とする請求項３に記載の防火防煙用スクリーンシャッター。
【請求項５】
前記スクリーン幕には、前記スリットの上部に接離可能に重合幕が設けられるとともに、該重合幕の下端部には第３錘体が設けられ、該第３錘体と前記第１錘体との間には、該第３錘体を前記スリットの方向に回動自在に連結するバネ付きヒンジが設けられ、
前記避難扉の第２錘体と前記重合幕の第３錘体との間に連動部材を設け、該連動部材を介して前記重合幕を前記避難扉に連動させ、前記避難扉で前記スクリーン幕の開口を閉じた後に、前記重合幕を前記スリットの上部に重合させるように構成したことを特徴とする請求項１〜４の何れか１項に記載の防火防煙用シャッター。
【発明の詳細な説明】
【技術分野】
【０００１】
本発明は、建物の延焼や煙の拡散を防止する防火防煙用スクリーンシャッターに関し、特に、建物の内部空間を火災側と非火災側とに間仕切るスクリーン幕と、スクリーン幕の一部を開閉する避難扉とを備えた防火防煙用スクリーンシャッターに関する。
【背景技術】
【０００２】
火災の発生時に、建物の内部空間を火災側と非火災側とに間仕切り、火災側から非火災側への延焼や煙の拡散を防止する防火防煙用スクリーンシャッターの一例として、建物の天井部に繰り出し巻き取り可能に設けられるスクリーン幕と、スクリーン幕の下端部に設けられる錘体と、建物の天井部と床部との間に設けられて、スクリーン幕を繰り出し巻き取り可能に案内するガイドレールとを備えた防火防煙用スクリーンシャッターが知られている。
【０００３】
上記のような構成の防火防煙用スクリーンシャッターは、火災の発生時に建物の天井部からスクリーン幕を繰り出し、ガイドレールに沿って下降させて下端を建物の床部に着床させて、建物の内部空間を火災側と非火災側とに間仕切ることにより、火災側から非火災側への延焼や煙の拡散を防止することができる。
【０００４】
また、上記のような構成の防火防煙用スクリーンシャッターは、火災発生時に建物の内部空間をスクリーン幕で間仕切った状態においても、建物の内部に取り残された人を通過させて避難させるために、スクリーン幕の一部を開閉させる避難扉を設けておく必要がある。
【０００５】
上記のような避難扉は、誰でも容易に操作できる、人を通過させた後にスクリーン幕の開口部分を確実に密閉し、防火・防煙性能（熱や煙の遮断性能）を維持できる、といった機能を有することが必要である。具体的には、５０ニュートン以下の力で避難扉を開放できるとともに、スクリーン幕の表裏面間での圧力差が３０Ｐａの状況下であっても密閉状態を保つことができ、かつ、避難扉を開放させて人が通過した後に、自動的にスクリーン幕の開口部分を密閉できることが必要である。
【０００６】
ところで、従来より用いられている避難扉の一例として、スクリーン幕の一部に鉛直方向を向くスリットを形成することにより三角形状の開口を設け、この開口をスリットに臨むスクリーン幕の部分で形成した三角形状の避難扉で開閉可能に構成したものが提案されている。
【０００７】
このような構成の避難扉は、スクリーン幕と同様にシリカ等の薄いシートによって形成されているために軽量であり、スクリーン幕の一部を開放させた後に元の状態に復帰させた場合に、スクリーン幕の開口部分を完全に密閉することができないことがある。また、火災の発生時のスクリーン幕の表裏面間での圧力差によって生じた気流によって煽られ、スクリーン幕の開口部分を密閉し続けることが困難になることがある。
【０００８】
上記のような圧力差による密閉性の低下の問題を解決するために、スクリーン幕の下端及び避難扉の下端に錘の機能を兼ね備えた座板を取り付け、さらに、避難扉側の座板を斜めヒンジを介してスクリーン幕側の座板に回動自在に連結し、さらに、避難扉の座板又はスクリーン幕の座板に磁石を設けた防火防煙用スクリーン装置が提案されている（特許文献１参照。）。
【０００９】
このような構成の防火防煙用スクリーン装置にあっては、避難扉を開放させて人を通過させて避難させた後に、避難扉を重力の力を用いて自動的に元の位置に復帰させることにより、スクリーン幕の開口部分を密閉することができる。また、スクリーン幕の表裏面間の圧力差によって気流が生じて、避難扉が煽られてスクリーン幕の開口部分が開放されるようなことはなく、スクリーン幕の開口部分を避難扉で密閉した状態に保ち続けることができる。
【００１０】
しかし、特許文献１に記載の防火防煙用スクリーンシャッターは、圧力差による避難扉の開放を磁力によって保持する方向と、避難扉を開放させる際に避難扉に付加する力の方向とが同じであるため、磁力が強すぎた場合に、避難扉の開放に大きな力が必要になる。この場合、磁力を弱くすることによって避難扉の開放に要する力を小さくすることも考えられるが、スクリーン幕の表裏面間での圧力差に耐え得る避難扉の保持力が弱まってしまうため、磁石による避難扉の保持力の調整が非常に難しく、製作、調整に時間と手間がかかり、全体としてのコストが高く付くことになる。
【００１１】
一方、避難扉の縁側の部分に重合幕を設け、この重合幕をスリットの上部に重合させることにより、スリット部分に隙間が形成されるのを防止し、避難扉の密封性を保持するように構成した防火防煙スクリーンが提案されている。
【００１２】
このような構成の防火防煙用スクリーンにあっては、重合幕によって避難扉の密閉性を高めることができるが、避難扉の開放に伴って重合幕を押し開いた場合に、避難扉の開度が大きくなって重合幕が避難扉から離れると、重合幕が外力や自己復元力によって閉じてしまうことがある。このため、避難扉を閉じた場合に、スクリーン幕と避難扉との間に重合幕が挟まり、スクリーン幕と避難扉との間に隙間が形成され、避難扉の密閉性が損われることがある。
【００１３】
このような避難扉とスクリーン幕との間に重合幕が挟まれる問題を解決するために、スクリーン幕と重合幕との間に、バネ部材又はリンク機構を備えたストッパー機構を設け、このストッパー機構により、避難扉に追従して開放された重合幕を開放状態に保持するように構成したものが提案されている（特許文献２参照。）。
【００１４】
しかし、特許文献２に記載の防火防煙用スクリーンシャッターは、重合幕がスクリーン幕と避難扉の間に挟まれるのを防止するストッパー機構として、バネ部材や複雑なリンク機構を設ける必要があるため、構造が複雑になり、製作、調整に時間と手間がかかり、全体としてのコストが高く付くことになる。
【先行技術文献】
【特許文献】
【００１５】
【特許文献１】特開２００１−１２９１１０号公報
【特許文献２】特開２００２−７０４５７号公報
【発明の概要】
【発明が解決しようとする課題】
【００１６】
本発明は、上記のような従来の問題に鑑みなされたものであって、構造が簡単で製作、調整が容易であり、全体としてのコストを大幅に低減させることができる防火防煙用スクリーンシャッターを提供することを目的とする。
【課題を解決するための手段】
【００１７】
上記のような課題を解決するために、本発明は、以下のような手段を採用している。
すなわち、本発明は、建物の内部空間を火災側と非火災側とに間仕切る、不燃性、耐火性、又は難燃性の素材からなる可撓性を有するスクリーン幕と、該スクリーン幕の下端部に設けられた第１錘体と、前記スクリーン幕の一部に、スリットとスリットの上端より斜め下方に向かう折り曲げ辺とを設けることによって形成された三角形状の開口及び該開口を開閉する三角形状の避難扉と、該避難扉の下端部に設けられた第２錘体と、該第２錘体を前記第１錘体に回動自在に連結するヒンジとを備えた防火防煙用スクリーンシャッターにおいて、前記避難扉の表裏面の一方に、上下方向に移動可能、かつ下方へ移動時に端部が前記第１錘体に係止されるロックピンと、該ロックピンを下方へ付勢する付勢部材とを備えたロック手段と、前記避難扉の開放方向に押圧することにより、前記付勢部材の付勢力に抗して前記ロックピンを上方に移動させて、前記ロックピンの前記第１錘体への係止状態を解除するロック解除部材とを設けたことを特徴とする。
【００１８】
本発明の防火防煙用スクリーンシャッターによれば、火災の発生時に、スクリーン幕によって建物の内部空間を火災側と非火災側とに間仕切ることにより、火災側から非火災側への延焼や煙の拡散を防止することができる。
また、避難扉は、ロック手段のロックピンがスクリーン幕の第１錘体に係止されることにより、スクリーン幕の開口を閉塞した状態にロックされる。この場合、火災熱によってスクリーン幕の表裏面間で圧力差が生じても、ロック解除部材は火災側の空間又は非火災側の空間内に位置しているので、ロック解除部材に圧力差が作用することはなく、ロック手段のロックピンを第１錘体に係止させた状態に保持でき、避難扉によりスクリーン幕の開口を閉塞し続けることができる。
さらに、スクリーン幕で建物の内部空間を間仕切った状態で、ロック解除部材を避難扉の開放方向に押圧することにより、ロックピンを付勢部材の付勢力に抗して上方に移動させて、ロックピンの第１錘体に対する係止状態を容易に解除できるので、火災側の空間に取り残された人を通過させて非火災側に避難させることができる。
さらに、火災側の空間に取り残された人がスクリーン幕の開口を通過して避難が完了した後に、避難扉は自重によってスクリーン幕の開口を開放させた位置から自動的に元の閉塞した位置に復帰することになるので、取り残された人を避難させた後にスクリーン幕の開口の密閉状態が損われるようなことはない。
【００１９】
また、本発明において、前記ロック解除部材は、一端が前記避難扉に連結され、他端が前記ロックピンに連結される帯状をなしていることとしてもよい。
【００２０】
本発明の防火防煙用スクリーンシャッターによれば、帯状のロック解除部材を避難扉の開放方向に押圧することにより、ロック手段のロックピンが付勢部材の付勢力に抗して上方に移動し、ロックピンの第１錘体への係止状態が解除され、避難扉がスクリーン幕の開口を開放させることになる。
【００２１】
さらに、本発明において、前記第１錘体は、前記スクリーン幕の下端部を前記スクリーン幕の表裏方向から挟持する一対の断面Ｌ形状の座板からなり、該一対の座板の前記避難扉の下端部に対応する部分には、前記避難扉の下端部を係合させる切欠部が設けられ、該切欠部の底部は、一方の座板が他方の座板よりも高い段差部に形成され、該段差部の上段の一方の側面に前記ロックピンが係止され、他方の側面に前記避難扉が係止されることとしてもよい。
【００２２】
本発明の防火防煙用スクリーンシャッターによれば、第１錘体を、一対の断面Ｌ形状の座板によって構成することができるので、市販の等辺山形鋼等を材料として第１錘体を製作することができるので、第１錘体の材料費を削減できるとともに、第１錘体の製作、取り付けが容易となり、防火防煙用スクリーンシャッター全体としての製作費用を安く抑えることができる。
また、一対の座板の建物の床部への接触面積を大きくとることができるので、床面とスクリーン幕との間の密閉性を高めることができ、防煙効果を更に高めることができる。
さらに、第１錘体の切欠部の底部を段差部に形成し、段差部の上段の一方の側面にロックピンを係止させ、他方の側面に避難扉の下端部を係止させるように構成したので、スクリーン幕の表裏面間に圧力差が生じ、この圧力差による圧力によってスクリーン幕が一方に押圧されて弧状に張った場合には、ロックピンが段差部の上段の一方の側面に係止されることにより、避難扉がスクリーン幕の開口を閉塞した状態に保持される。また、差圧による圧力によってスクリーン幕が他方に押圧されて弧状に張った場合には、ロックピンの段差部の上段への係止状態が解除されるが、避難扉の下端部が段差部の上段の他方の側面に係止されることにより、避難扉がスクリーン幕の開口を閉塞した状態に保持されることになる。
【００２３】
さらに、本発明において、前記ロックピンは、下端部が所定の角度の傾斜面に形成され、前記避難扉が前記スクリーン幕の開口を開放し、この状態から元の状態に復帰する際に、前記ロックピンの傾斜面が前記段差部の上段に当接することにより、前記ロックピンが前記付勢部材の付勢力に抗して上方に移動し、前記ロックピンが前記段差部の上段を乗り越えて該上段の一方の側面に係止されることとしてもよい。
【００２４】
本発明の防火防煙用スクリーンシャッターによれば、避難扉を開放させた後に、避難扉が自重によって元の位置に復帰しようとする場合、ロックピンの傾斜面が第１錘体の段差部の上段に接触することにより、ロックピンが付勢部材の付勢力に抗して上方に移動し、段差部の上段を乗り越えた後に、付勢部材によって付勢されて下方に移動し、ロックピンが段差部の上段の一方の側面に係止されることになる。
【００２５】
さらに、本発明において、前記スクリーン幕には、前記スリットの上部に接離可能に重合幕が設けられるとともに、該重合幕の下端部には第３錘体が設けられ、該第３錘体と前記第１錘体との間には、該第３錘体を前記スリットの方向に回動自在に連結するバネ付きヒンジが設けられ、前記避難扉の第２錘体と前記重合幕の第３錘体との間に連動部材を設け、該連動部材を介して前記重合幕を前記避難扉に連動させ、前記避難扉で前記スクリーン幕の開口を閉じた後に、前記重合幕を前記スリットの上部に重合させるように構成したこととしてもよい。
【００２６】
本発明の防火防煙用スクリーンシャッターによれば、簡単な構造のもので避難扉に重合幕を連動させることができるので、製作に要する時間と手間と費用を削減することができ、製作非用を安く抑えることができる。さらに、重合幕が避難扉よりも先にスリットの上部に重合されることがないので、避難扉とスクリーン幕との間に重合幕が挟まってスクリーン幕の開口の密封性が損われるようなことはない。
【発明の効果】
【００２７】
以上、説明したように、本発明の防火防煙用スクリーンシャッターによれば、全体の構造を簡素化することができるので、製作、組立、調整等が容易となり、全体としての製作費用を大幅に低減させることができ、安価なものを提供することができる。
【図面の簡単な説明】
【００２８】
【図１】本発明による防火防煙用シャッターの第１の実施の形態の全体を示した概略図である。
【図２】図１の要部拡大断面図である。
【図３】スクリーン幕及び避難扉が避難方向に弧状に張った状態を示した説明図である。
【図４】スクリーン幕及び避難扉が避難方向と反対方向に弧状に張った状態を示した説明図である。
【図５】本発明による防火防煙用シャッターの第２の実施の形態の全体を示した概略図であって、避難扉でスクリーン幕の開口を閉塞し、重合幕をスリットの上部に重合させた状態を示した概略図である。
【図６】図５の避難扉を開放させ、重合幕をスリットから離間させた状態を示した概略図である。
【図７】図５の要部拡大断面図である。
【図８】図６の要部拡大断面図である。
【図９】図６の要部拡大図である。
【発明を実施するための形態】
【００２９】
以下、図面を参照しながら、本発明の実施の形態について説明する。
本実施の形態の防火防煙用スクリーンシャッター１は、火災の発生時に、建物の内部空間を火災側と非火災側とに間仕切りして、火災側から非火災側への延焼や煙の拡散を防止するのに適用されるものであって、図１に示すように、建物の内部空間の天井部３５に設けられる繰り出し巻き取り手段２と、繰り出し巻き取り手段２に繰り出し巻取り可能に巻回されるスクリーン幕５と、スクリーン幕５の一部に設けられる開口７と、スクリーン幕５の開口７を開閉する避難扉１５と、スクリーン幕５に下方への張力を付与する第１錘体９と、避難扉１５に下方への張力を付与する第２錘体１６と、避難扉１５をスクリーン幕５の開口７を閉塞した状態にロックするロック手段２１と、ロック手段２１による避難扉１５のロック状態を解除するロック解除部材２６とを備えている。
【００３０】
繰り出し巻き取り手段２は、建物の内部空間の天井部３５の梁下等に設けられるシャッターケース（図示せず）と、シャッターケース内に回転自在に収納されるドラム３と、ドラム３を回転不能にロックするロック機構（図示せず）と、ロック機構によるドラム３のロック状態を解除するロック解除機構（図示せず）等から構成される。
【００３１】
繰り出し巻き取り手段２は、火災の発生時に、ロック解除機構の作動により、ロック機構によるドラム３のロック状態が解除され、ドラム３がスクリーン幕５を介して第１錘体９の重量を受けて自由回転し、ドラム３からスクリーン幕５が繰り出される。
【００３２】
スクリーン幕５は、不燃性、耐火性、又は難燃性の素材（ガラス繊維やシリカクロス等）からなる織布、不織布等から形成される可撓性を有するものであって、ドラム３の周囲に繰り出し巻き取り可能に巻回されている。
【００３３】
スクリーン幕５の幅方向の両端部は、例えば、建物の内部空間の幅方向の両端部に垂直に設けられる一対のガイドレール（図示せず）内に挿入され、この一対のガイドレールによってスクリーン幕５が上下方向に繰り出し巻き取り可能に案内されている。
【００３４】
スクリーン幕５の下端部には第１錘体９が設けられ、ドラム３のロック機構によるロック状態が解除されたときに、この第１錘体９の重量によってスクリーン幕５に繰り出し方向への張力が付与され、ドラム３が自由回転してスクリーン幕５が繰り出され、第１錘体９が建物の床部３６に当接する。
【００３５】
第１錘体９は、図１及び図２に示すように、スクリーン幕５の下端部に全幅に亘って設けられる一対の断面Ｌ形状の座板１０、１１からなり、この一対の座板１０、１１を背中合わせにして、両座板１０、１１間でスクリーン幕５の下端部を表裏方向から挟持し、両座板１０、１１間をボルト・ナット等によって固定することにより、スクリーン幕５の下端部に取り付けられる。座板１０、１１としては、例えば、等辺山形鋼、不等辺山形鋼等を使用することができる。
【００３６】
第１錘体９の長手方向の中央部には、図１及び図２に示すように、一段低い切欠部１２が形成され、この切欠部１２内に後述する避難扉１５の下端部が係合されるようになっている。切欠部１２の底部には、一方の座板１０が他方の座板１１よりも高い段差部１３が形成され、この段差部１３の上段１４の一方の側面１４ａに後述するロックピン２３の下端部が係止され、他方の側面１４ｂに後述する避難扉１５の下端部が係止される。
【００３７】
スクリーン幕５の一部には、図１に示すように、スクリーン幕５の表裏面間を貫通するスリット６が鉛直方向に延びるように設けられ、このスリット６に臨むスクリーン幕５の部分を折り曲げることにより、スクリーン幕５の一部に表裏面間を貫通する開口７が形成される。
【００３８】
本実施の形態においては、スリット６に臨むスクリーン幕５の部分を、スリット６の上端とスクリーン幕５の下端との間を斜めに結ぶ折り曲げ辺８を基準として三角形状に折り曲げることにより三角形状の開口７を形成し、この三角形状に折り曲げたスクリーン幕５の部分で三角形状の開口７を開閉する三角形状の避難扉１５を形成している。
【００３９】
避難扉１５の下端部には第２錘体１６が設けられている。第２錘体１６は、例えば、帯板状をなすものであって、避難扉１５の下端部を折り返して袋状に形成した部分に収納される。第２錘体１６は、避難扉１５の下端部の全幅に亘る長さに形成され、この第２錘体１６によって避難扉１５に下方への張力が付与される。第２錘体１５としては、例えば、帯鋼等を使用することができる。
【００４０】
避難扉１５は、図２に示すように、スクリーン幕５の開口７を閉じた際に、下端部が第１錘体９を構成する両座板１０、１１の切欠部１２内に係合され、この状態で下端部が切欠部１２の段差部１３の上段１４の他方の側面１４ｂに係止される。
【００４１】
避難扉１５の第２錘体１６とスクリーン幕５の第１錘体９との間には、第２錘体１６と第１錘体９とを相対的に回動自在に連結する斜めヒンジ１７が設けられ、この斜めヒンジ１７（図９参照）により、避難扉１５が折り曲げ辺８を中心として、折り曲げ辺８と直交する方向に円滑に回動し、スクリーン幕５の三角形状の開口７を開閉する。
【００４２】
斜めヒンジ１７は、例えば、図９に示すように、長方形板状の第１取付板１８及び第２取付板１９と、第１取付板１８と第２取付板１９とを相対的に回動自在に連結する連結軸２０とを備えている。
【００４３】
斜めヒンジ１７を連結軸２０が避難扉１５の折り曲げ辺８上に位置するように避難扉１５とスクリーン幕５との間に配置し、この状態で第１取付板１８をスクリーン幕５側の第１錘体９側に連結し、第２取付板１９を避難扉１５側の第２錘体１６に連結することにより、避難扉１５を折り曲げ辺８を中心として、折り曲げ辺８に直交する方向に開閉させることができる。
【００４４】
ロック手段２１は、図２に示すように、例えば、避難扉１５の下端部のスリット６に臨む部分に取り付けられる箱状のケーシング２２と、ケーシング２２の中心部を上下方向に貫通する、上下方向に移動可能な丸棒状のロックピン２３と、ケーシング２２内に位置するロックピン２３の部分に装着される付勢部材である圧縮コイルスプリング２４と、圧縮コイルスプリング２４の下端側のロックピン２３上に取り付けられ、圧縮コイルスプリング２４の下端を係止させるバネ止め２５とを備えている。
【００４５】
ロック手段２１は、ロックピン２３のケーシング２２の上面２２ａから上方に突出している上端部に後述するロック解除部材２６を連結することにより、ケーシング２２の上面２２ａとバネ止め２５との間で圧縮コイルスプリング２４が圧縮された状態に保持され、この圧縮コイルスプリング２４の圧縮力によってロックピン２３が下方に付勢され、ロックピン２３の下端部が第１錘体９の段差部１３の上段１４の一方の側面１４ａに係止される。
【００４６】
ロックピン２３の下端部は、所定の角度の傾斜面２３ａに形成され、避難扉１５がスクリーン幕５の開口７を開放し、その位置から元の閉塞した位置に復帰する際に、この傾斜面２３ａが第１錘体９の段差部１３の上段１４に接触することにより、ロックピン２３が圧縮コイルスプリング２４の付勢力に抗して上方に移動し、ロックピン２３が段差部１３の上段１４を乗り越えて上段１４の一方の側面１４ａ側に移動し、この後に、ロックピン２３が圧縮コイルスプリング１４によって付勢されて下方に移動し、ロックピン２３の下端部が上段１４の一方の側面１４ａに係止される。
【００４７】
ロック解除部材２６は、図１及び図２に示すように、スクリーン幕５及び避難扉１５と同様に、不燃性、耐火性、又は難燃性の素材（ガラス繊維やシリカクロス等）からなる帯状をなすものであって、上端が避難扉１５の上端部に連結され、下端がロック手段２１のロックピン２３の上端に連結される。
【００４８】
この場合、ロック解除部材２６の上端は、例えば、避難扉１５の上端部に水平方向に一直線に縫い合わされること避難扉１５に連結されている。但し、これに限定することなく、ロック解除部材２６の上端を接着剤等によって避難扉１５に連結するように構成してもよい。なお、ロック解除部材２６は、帯状に限らず、線状等に形成してもよい。
【００４９】
火災側の空間内に取り残された人がロック解除部材２６を避難扉１５の開放方向に押圧することにより、ロック手段２１のロックピン２３が圧縮コイルスプリング２４の付勢力に抗して上方に移動し、ロックピン２３の第１錘体９の段差部１３の上段１４への係止状態が解除され、避難扉１５を開放させることができる。
【００５０】
上記のように構成した本実施の形態の防火防煙用スクリーンシャッター１にあっては、火災が発生すると、ロック解除機構の作動により、ロック機構によるドラム３のロック状態が解除され、ドラム３が第１錘体９の重量によって自由回転し、ドラム３からスクリーン幕５が繰り出され、スクリーン幕５の下端部の第１錘体９の下面が建物の床部３６に当接し、建物の内部空間が火災側と非火災側とに間仕切られる。
【００５１】
この場合、図３に示すように、火災の発生によって火災側と非火災側との間に火災側が高圧となるような圧力差が生じ、この圧力差によってスクリーン幕５が非火災方向（避難方向）に弧状に張った場合にも、ロック解除部材２６は火災側の空間内に位置しているため、ロック解除部材２６の表裏面で圧力差が生じるようなことはない。このため、ロック解除部材２６が非火災方向（避難方向）へ押圧されて、ロックピン２３の第１錘体９への係止状態が解除されるのを防止でき、避難扉１５によってスクリーン幕５の開口７を閉塞し続けることができる。
【００５２】
また、図４に示すように、火災の発生によって火災側と非火災側との間に非火災側が高圧となるような圧力差が生じ、この圧力差によってスクリーン幕５が火災方向（避難方向と反対方向）に弧状に張った場合、スクリーン幕５によってロック解除部材２６が押し上げられ、ロックピン２３が上方に移動してロックピン２３の第１錘体９への係止状態が解除されることがある。しかし、この場合、避難扉１５の下端部の第２錘体１６が、第１錘体９の段差部１３の上段１４の他方の側面１４ｂに係止されることにより、避難扉１５によってスクリーン幕５の開口７を閉塞し続けることができる。
【００５３】
火災側の空間内に取り残された人が避難するには、取り残された人がロック解除部材２６を避難扉１５の開放方向（スクリーン幕５によって間仕切った非火災方向（避難方向））に押圧することにより、ロックピン２３がロック解除部材２６を介して上方に引っ張られ、圧縮コイルスプリング２４の付勢力に抗して上方に移動し、ロックピン２３の第１錘体９の段差部１３の上段１４への係止状態が解除される。これと同時に、避難扉１５が非火災方向（避難方向）に回動してスクリーン幕５の開口７が開放され、スクリーン幕５の開口７を介して取り残された人を通過させ、非火災側に避難させることができる。
【００５４】
この場合、避難扉１５の第２錘体１６とスクリーン幕５の第１錘体９とは、斜めヒンジ１７を介して相対的に回動自在に連結され、避難扉１５は、折り曲げ辺８を中心して、折り曲げ辺８と直交する上方に回動することにより、スクリーン幕５の開口７を開放することになるので、避難する人が避難扉１５を手で非火災方向（避難方向）に押して、開口７を通過した後に手を避難扉１５から離すことにより、避難扉１５は自重によってスクリーン幕５の開口７を閉塞する元の位置の方向に回動する。
【００５５】
そして、避難扉１５が元の位置の方向に回動する際に、ロックピン２３の傾斜面２３ａが第１錘体９の段差部１３の上段１４に接触することにより、ロックピン２３が圧縮コイルスプリング２４の付勢力に抗して上方に移動し、段差部１３の上段１４の表面を滑りながら上段１４を乗り越え、上段１４の一方の側面１４ａ側に移動した後に、圧縮コイルスプリング２４の付勢力によって下方に付勢され、ロックピン２３の下端部が段差部１３の上段１４の一方の側面１４ａに係止され、避難扉１５がスクリーン幕５の開口７を閉塞した状態にロックされる（図２参照）。
【００５６】
上記のように構成した本実施の形態の防火防煙用スクリーンシャッター１にあっては、避難扉１５のスリット６に臨む部分に、避難扉１５がスクリーン幕５の開口７を閉塞した状態にロックする、ケーシング２２、圧縮コイルスプリング２４、ロックピン２３等からなるロック手段２１を設けるとともに、避難扉１５とロック手段２１のロックピン２３との間に、ロック手段２１によるロック状態を解除する帯状のロック解除部材２６を設けた簡単な構成のものであり、しかも、ロック手段２１のロックピン２３を係止させる第１錘体９は、一対の断面Ｌ形状の座板１０、１１を組み合わせた簡単な構成のものであるので、製作、組立、調整に要する時間と手間と費用を削減することができ、防火防煙用スクリーンシャッター１全体としての製作費用を安く抑えることができ、安価なものを提供することができる。
【００５７】
図５〜図９には、本発明による防火防煙用スクリーンシャッター１の第２の実施の形態が示されている。この防火防煙用スクリーンシャッター１は、スクリーン幕５のスリット６の上部に接離可能に重合幕２７が設けられたダイプのものであって、この重合幕２７と避難扉１５との間に、避難扉１５に重合幕２７を連動させる連動部材３０を設けたものであって、その他の構成は前記第１の実施の形態に示すものと同様である。
【００５８】
重合幕２７は、図５、図６、及び図９に示すように、スリット６の上部に重合させた状態で、幅方向の一端部がスクリーン幕５のスリット６の縁部に縫製、接着等の手段によって一体に接合されるとともに、上端がスリット６の上端に近接するスクリーン幕５の部分に縫製、接着等の手段によって一体に接合されている。
【００５９】
また、重合幕２７の下端部は、折り返されて袋状に形成され、この袋状に形成された部分に帯鋼等からなる帯板状の第３錘体２８が収納され、この第３錘体２８によって重合幕２７に下方への張力が付与されている。
【００６０】
さらに、重合幕２７の第３錘体２８は、図９に示すように、バネ付きヒンジ２９を介してとスクリーン幕５の第１錘体９の切欠部１２の縁部に連結され、このバネ付きヒンジ２９によって重合幕２７がスリット６の方向に回動自在に構成され、重合幕２７がスリット６の方向に回動した際に、重合幕２７がスリット６の上部に重合される。
【００６１】
連動部材３０は、例えば、ワイヤー３０から構成されるものであって、重合幕２７と避難扉１５とスクリーン幕５との間に設けられている。これらの間にワイヤー３０を設けるには、以下の手順に従う。
【００６２】
まず、図７に示すように、スクリーン幕５の開口７を避難扉１５で閉塞し、重合幕２７をスリット６の上部に重合させた状態とし、この状態で、ワイヤー３０をスクリーン幕５の第１錘体９の切欠部１２の段差部１３の上段１４の一方の側面１４ａ側に段差部１３に沿うように配置する。
【００６３】
次に、第２錘体１６の斜めヒンジ１７の近傍に、第２錘体１６及び第１錘体９の段差部１３の上段１４を貫通する貫通孔を設け、これらの貫通孔内にワイヤー３０の一端を通して第２錘体１６の表面側に引き出し、この引き出したワイヤー３０の部分にワイヤー止め３１を取り付け、ワイヤー３０の一端を第２錘体１６に固定する。
【００６４】
次に、第１錘体９の切欠部１２の縁部のバネ付きヒンジ２９に近接する部分に、第１錘体９の両座板１０、１１を貫通する貫通孔を設けるとともに、第３錘体２８のバネ付きヒンジ２９から離れた端部に第３錘体２８を貫通する貫通孔を設け、ワイヤー３０の他端を第１錘体９の両座板１０、１１の貫通孔を通して重合幕２７側に引き出し、この引き出したワイヤー３０の他端を第３錘体２８の表面側を沿わせて、第３錘体２８の貫通孔を表面側から裏面側に通して第３錘体２８の裏面側に引き出し、この引き出したワイヤー３０の他端にワイヤー止め３１を取り付け、ワイヤー３０の他端を第３錘体２８に固定する。
【００６５】
このようにして、避難扉１５の第２錘体１６と重合幕２７の第３錘体２８との間をワイヤー３０で連結することにより、避難扉１５に重合幕２７を連動させることができる。
具体的には、図８に示すように、避難扉１５をスクリーン幕５を開放させる方向（図８の矢印ａ１方向）に回動させると、避難扉１５にワイヤー３０を介して連結されている第３錘体２８が図８の矢印ａ２の方向に引っ張られることにより、重合幕２７がスリット６から離間する方向に回動する。この場合、支点となる斜めヒンジ１７の連結軸２０から力点となる避難扉１５の開放側の端までの距離が、支点となる斜めヒンジ１７の連結軸２０から作用点となるワイヤー３０と避難扉１５の固定箇所の距離よりも長いため、梃子の原理により、容易に避難扉１５及び重合幕２７を開放させることができ、建物内部に取り残された人を通過させて避難させることができる。
【００６６】
また、避難扉１５を開放させてスクリーン幕５の開口７を人が通過した後、避難扉１５は自重によって自動的に元の位置の方向に回動し、スクリーン幕５の開口７を閉塞状態に復帰することになる（図７参照）。
【００６７】
さらに、重合幕２７は、バネ付きヒンジ２９によって付勢されることにより、スリット６の上部に重合された状態に復帰する。この場合、避難扉１５と重合幕２７とは、ワイヤー３０を介して連動するように構成され、しかも、避難扉１５がスクリーン幕５の開口７を閉塞した後に、重合幕２７がスクリーン幕５のスリット６の上部に重合されるように、避難扉１５及び重合幕２７の開閉タイミングが調整されているので、避難扉１５とスクリーン幕５との間に重合幕２７が挟まり、両者間に隙間が形成されるようなことはない。
【００６８】
上記のように構成した本実施の形態の防火防煙用スクリーンシャッター１にあっても、前記第１の実施の形態に示すものと同様の作用効果を奏するほか、重合幕２７が避難扉１５とスクリーン幕５との間に挟まるようなことがないので、スクリーン幕５の開口７の密閉性能を更に高めることができ、火災側から非火災側への延焼、煙の拡散を更に効果的に防止することができる。
【符号の説明】
【００６９】
１  防火防煙用シャッター
２  繰り出し巻き取り手段
３  ドラム
５  スクリーン幕
６  スリット
７  開口
８  折り曲げ辺
９  第１錘体
１０  一方の座板
１１  他方の座板
１２  切欠部
１３  段差部
１４  上段
１４ａ  一方の側面
１４ｂ  他方の側面
１５  避難扉
１６  第２錘体
１７  斜めヒンジ
１８  第１取付板
１９  第２取付板
２０  連結軸
２１  ロック手段
２２  ケーシング
２２ａ  上面
２３  ロックピン
２３ａ  傾斜面
２４  付勢部材（圧縮コイルスプリング）
２５  バネ止め
２６  ロック解除部材
２７  重合幕
２８  第３錘体
２９  バネ付きヒンジ
３０  連動部材（ワイヤー）
３１  ワイヤー止め
３５  天井部
３６  床部
【図１】
2011019626.tif 000003
【図２】
2011019626.tif 000004
【図３】
2011019626.tif 000005
【図４】
2011019626.tif 000006
【図５】
2011019626.tif 000007
【図６】
2011019626.tif 000008
【図７】
2011019626.tif 000009
【図８】
2011019626.tif 000010
【図９】
2011019626.tif 000011